(57)【要約】      （修正有）【課題】使用者の首、胴体、腕又は脚等の周囲に巻き付けるようにして簡単に装着でき、対象部位を効果的に冷却することが可能な機能性に優れた冷却器具を提供する。【解決手段】使用者１１の身体の所定位置に巻き付けるようにして装着される冷却器具１０であって、中空の棒状に形成された液体収容部１４と、使用時に液体収容部の長手方向の一側と他側を連結する帯体３０と面ファスナーからなる連結手段１５とを備え、液体収容部を構成するシート材は１〜７ｍｍの厚みで、ゴム製の内面シートと、内面シートの外表面に接合された合成繊維製の外面シートで形成された二層構造を有し、使用時に使用者の身体に接する液体収容部の内側面２０と対向する外側面２１には、切れ目が形成され、切れ目に沿って防水ファスナーが取り付けられて、切れ目が開閉可能に密封される。【選択図】図５
0003227884.tif 000002
【実用新案登録請求の範囲】
【請求項１】
使用者の身体の所定位置に巻き付けるようにして装着される冷却器具であって、
中空の棒状に形成された液体収容部と、使用時に該液体収容部の長手方向の一側と他側を連結する連結手段とを備え、前記液体収容部を構成するシート材は１〜７ｍｍの厚みで、独立気泡でゴム製の内面シートと、該内面シートの外表面に接合された合成繊維製の外面シートで形成された二層構造を有し、使用時に前記使用者の身体に接する前記液体収容部の内側面と対向する外側面には、切れ目が形成され、該切れ目に沿って防水ファスナーが取り付けられて、該切れ目は開閉可能に密封されることを特徴とする冷却器具。
【請求項２】
請求項１記載の冷却器具において、前記内面シートは、独立気泡を有するクロロプレンゴム発泡シートであり、前記外面シートは、ジャージ生地であることを特徴とする冷却器具。
【請求項３】
請求項１又は２記載の冷却器具において、前記切れ目の長さは、１５〜３０ｃｍであって、前記防水ファスナーの周縁は、前記シート材の内面で前記内面シートに密着固定されていることを特徴とする冷却器具。
【請求項４】
請求項１〜３のいずれか１記載の冷却器具において、前記液体収容部は、前記外側面が凸となる円弧状に湾曲し、前記切れ目は、前記液体収容部の長手方向に沿って形成されていることを特徴とする冷却器具。
【請求項５】
請求項１〜４のいずれか１記載の冷却器具において、前記連結手段に面ファスナーを用いたことを特徴とする冷却器具。
【考案の詳細な説明】
【技術分野】
【０００１】
本考案は、使用者の首、胴体、腕又は脚等の周りに装着して冷却、場合によっては加温を行うための冷却器具に関する。
【背景技術】
【０００２】
従来、身体を温めるための暖房器具の一種として湯たんぽが知られている。この湯たんぽは、金属や陶器等で形成された容器本体にお湯を入れることにより、身体を温めることができるが、保温性を高め、火傷を防ぐために、容器本体の外周を布等で覆ったり、専用の保温カバーを装着したりする必要があった。また、容器本体が定型性を有しており、例えば、使用者の背中や腰等の広範囲を温めるには適しているが、首、胴体、腕及び脚等のように湾曲した部位全体を温めることは困難であった。そこで、例えば、特許文献１には、屈曲可能なゴム又は合成樹脂製のシート材料を主体として構成され、その一部に開閉可能な水の出入り口を備え、一部又は全体が平面視してＵ字状に曲がったＵ字状屈曲部を有する温水式保温具が開示されている。
【先行技術文献】
【特許文献】
【０００３】
【特許文献１】特開２００８−２７９２４６号公報
【考案の概要】
【考案が解決しようとする課題】
【０００４】
特許文献１のように、温水式保温具の一部又は全体が平面視してＵ字状に曲がったＵ字状屈曲部を有することにより、首、胴体、腕及び脚等の外周全体を温めることができるが、これらの対象部位を確実に温めるためには、対象部位の外周にＵ字状屈曲部の内周面を密着させる必要がある。しかし、首、胴体、腕及び脚等の各部の太さ（外径）はバラバラであるため、対象部位毎に、Ｕ字状屈曲部の内側曲率半径が異なる複数の温水式保温具を製造して使い分ける必要があり、汎用性に欠けるという課題がある。また、水の出入り口は、温水式保温具のシート材料に形成した貫通孔に筒体を取り付け、その筒体の開口を中栓及び閉じ栓で開閉するものであるため、構造が複雑で、特に、筒体の外周をシート材料に密着させて水密性を確保する必要があり、製造にも手間がかかるという課題がある。さらに、水の出入り口が周囲よりも出っ張っているため、使用時又は収納（保管）時に邪魔になることもあった。
更に、この温水式保温具を冷却器として使用する場合、水の出入り口から、氷の塊又は氷水を入れることは不可能又は困難であった。
【０００５】
本考案は、かかる事情に鑑みてなされたもので、内部に氷又は氷水を簡単に入れることができ、使用者の首、胴体、腕又は脚等の周囲に巻き付けるようにして簡単に装着することができ、対象部位を効果的に冷却（場合によっては加熱）することが可能な機能性に優れた冷却器具を提供することを目的とする。
【課題を解決するための手段】
【０００６】
前記目的に沿う本考案に係る冷却器具は、使用者の身体の所定位置に巻き付けるようにして装着される冷却器具であって、
中空の棒状に形成された液体収容部と、使用時に該液体収容部の長手方向の一側と他側を連結する連結手段とを備え、前記液体収容部を構成するシート材は１〜７ｍｍの厚みで、独立気泡でゴム製の内面シートと、該内面シートの外表面に接合された合成繊維製の外面シートで形成された二層構造を有し、使用時に前記使用者の身体に接する前記液体収容部の内側面と対向する外側面（背面側）には、切れ目が形成され、該切れ目に沿って防水ファスナーが取り付けられて、該切れ目は開閉可能に密封される。
【０００７】
本考案の冷却器具において、前記内面シートは、独立気泡を有するクロロプレンゴム発泡シートであり、前記外面シートは、ジャージ生地であるのが好ましい。
【０００８】
本考案の冷却器具において、前記切れ目の長さは、１５〜３０ｃｍであって、前記防水ファスナーの周縁は、前記シート材の内面で前記内面シートに密着固定されているのが好ましい。
【０００９】
本考案に係る冷却器具において、前記液体収容部は、前記外側面が凸となる円弧状に湾曲し、前記切れ目は、前記液体収容部の長手方向に沿って形成されていることが好ましい。
【００１０】
本考案に係る冷却器具において、前記連結手段に係合する面ファスナーを用いることが好ましい。
【考案の効果】
【００１１】
本考案に係る冷却器具は、冷水（氷、氷水を含む）が入れられた液体収容部を使用者の首、胴体、腕又は脚等の患部の周りに巻き付け、連結手段で環状に連結固定することにより、使用者の身体に接する液体収容部の内側面を患部に密着させて効率的に冷却を行うことができる。特に、液体収容部を構成するシート材が、ゴム製の内面シートと、合成繊維製の外面シートからなる二層構造であることにより、保温性に優れ、別途、カバー等を取り付ける必要もない。また、使用時に使用者の身体に接する液体収容部の内側面と対向する外側面に切れ目が形成され、防水ファスナーで密封されているので、液体収容部の内側面を患部に密着させても防水ファスナーが使用者の皮膚に触れることがなく、快適性に優れる。
【００１２】
内面シートが、独立気泡を有するクロロプレンゴム発泡シートであり、外面シートが、ジャージ生地である場合、クッション性が高く、水密性に優れるだけでなく、ジャージ生地（外面シート）でクロロプレンゴム発泡シート（内面シート）の伸びを規制して、耐久性及び形状安定性を向上させることができる。
【００１３】
防水ファスナーの周縁が、シート材の内面で内面シートに密着固定されている場合、防水ファスナーが液体収容部の外部（シート材の外面）に露出することがなく、水密性及び耐久性に優れる。
【００１４】
液体収容部が、外側面が凸となる円弧状に湾曲し、切れ目が、液体収容部の長手方向に沿って形成されている場合、液体収容部を使用者の首、胴体、腕又は脚等の外周に沿って密着させ易く、切れ目の開閉作業性にも優れる。
【００１５】
連結手段に面ファスナーを用いた場合、冷却器具の着脱作業性に優れる。
【図面の簡単な説明】
【００１６】
【図１】本考案の一実施の形態に係る冷却器具の平面図である。
【図２】同冷却器具の背面図である。
【図３】図２のＡ−Ａ線端面図である。
【図４】図２のＢ−Ｂ線端面図である。
【図５】同冷却器具の使用状態を示す正面図である。
【考案を実施するための形態】
【００１７】
続いて、添付した図面を参照しつつ、本考案を具体化した実施の形態につき説明し、本考案の理解に供する。
図１〜図４に示す本考案の一実施の形態に係る冷却器具１０は、図５に示すように、使用者１１の身体の所定位置（ここでは首１２）に巻き付けるようにして装着され、冷却を行うものである。
図１、図２に示すように、冷却器具１０は、中空の棒状に形成された液体収容部１４と、使用時に液体収容部１４の長手方向の一側と他側を連結する連結手段１５とを備えており、液体収容部１４には、冷水（氷を含む）を入れることができる。この液体収容部１４を構成するシート材１６は、図３、図４に示すように、ゴム製の内面シート１７と、内面シート１７の外表面に接合された合成繊維製の外面シート１８で形成された二層構造を有している。これにより、クッション性が高く、水密性に優れるだけでなく、外面シート１８で内面シート１７の伸びを規制して、耐久性及び形状安定性を向上させることができる。また、外面シート１８は、内面シート１７の変形に合わせて伸び縮みしつつ、所定量以上の伸びを規制することができるので、液体収容部１４を使用者１１の首、胴体、腕及び脚等の外周に沿うように変形（湾曲）させることができる。これにより、冷却器具１０の使用時に使用者１１の身体に接する液体収容部１４の内側面２０を患部に密着させて効率的に冷却を行うことができる。
【００１８】
本実施の形態では、内面シート１７として、独立気泡を有するクロロプレンゴム発泡シートを使用することにより、保温性、水密性及びクッション性を高め、外面シート１８として、ジャージ生地を使用することにより、心地よい肌触りを実現したが、シート材（内面シート及び外面シート）の材質は、これらに限定されるものではなく、適宜、選択することができる。例えば、内面シートとして、スチレンブタジエンゴム（ＳＢＲ）又はニトリルゴム（ＮＢＲ）等のその他のゴムを用いてもよい。また、外面シート１８は、内面シート１７の外表面に接合されるが、その接合には、ゴム系（例えば、クロロプレンゴム系）の接着剤が好適に用いられる。なお、ジャージ生地を形成する合成繊維としては、例えば、ポリアミド繊維、ポリエステル繊維、ポリプロピレン中空糸繊維及びポリエチレン繊維等が用いられる。また、シート材１６の総厚は、例えば１〜７ｍｍ程度で、外面シート１８の厚みは、例えば０．３〜２ｍｍ程度であることが好ましいが、これに限定されるものではない。
【００１９】
液体収容部１４は、使用時に使用者１１の身体に接する液体収容部１４の内側面２０と対向する外側面２１（背面側）が凸となる円弧状に湾曲し、その外側面２１には、図２、図３に示すように、長手方向に沿った１５〜３０ｃｍ（より好ましくは２０〜２５ｃｍ）の切れ目２２が形成されており、この切れ目２２に沿って防水ファスナー２３が取り付けられることにより、切れ目２２が開閉可能に密封される。使用時に使用者１１の身体に接する液体収容部１４の内側面２０と対向する外側面２１に切れ目２２が形成され、防水ファスナー２３で密封されているので、液体収容部１４の内側面２０を患部に密着させても、切れ目２２及び防水ファスナー２３が使用者の皮膚に触れることがなく、装着性に優れる。ここで、防水ファスナー２３は従来公知の構造であり、スライダー２４をスライドさせることにより、切れ目２２を開いて中空の液体収容部１４の内部に冷水（氷を含む）を入れることができる。特に、切れ目２２が、液体収容部１４の長手方向に沿って形成されていることにより、液体収容部１４の外側面２１を大きく開くことができ、氷の出し入れを短時間で容易に行うことができる。なお、切れ目の長さは、適宜、選択することができる。また、防水ファスナー２３の周縁（テープ２５の外周部）は、液体収容部１４を形成するシート材１６の内面（液体収容部１４の内部）で内面シート１７に密着固定されていることにより、防水ファスナー２３が液体収容部１４の外部（シート材１６の外面）に露出することがなく、水密性及び耐久性に優れる。本実施の形態では、図１、図２に示すように、スライダー２４に操作紐２７を連結した。これにより、操作紐２７を手で握って引っ張ることにより、スライダー２４を指で摘むことなくスライダー２４を簡単にスライドさせることができ、防水ファスナー２３の開閉作業性に優れる。なお、スライダー２４を直接、指で摘んで防水ファスナー２３を開閉してもよく、操作紐２７を省略することもできる。
【００２０】
液体収容部１４の長手方向と直交する断面は、図３、図４に示すように、略楕円形状（略長円形状）に形成することが好ましいが、これに限定されることなく、適宜、選択することができ、例えば、略円形状に形成してもよいし、使用者の身体に接する液体収容部の内側面側を平坦状とし、内側面と対向する液体収容部の外側面側を円弧状に膨出させて略半円形状に形成してもよい。なお、液体収容部１４の長手方向と直交する断面は、全長にわたって均一である必要はなく、一側及び他側の先端部に向かって断面を縮小させてもよい。
【００２１】
また、本実施の形態では、図１、図２、図５に示すように、液体収容部１４の長手方向の一側及び他側で、液体収容部１４の外側面２１にそれぞれ取り付けられた雌型面ファスナー２８ａ、２８ｂと、長手方向の少なくとも一側及び他側に、それぞれの雌型面ファスナー２８ａ、２８ｂに着脱可能に接合（連結）される雄型面ファスナー２９ａ、２９ｂが取り付けられた帯体３０を連結手段１５として用いた。これにより、冷却器具１０の使用時に、図５に示すように、使用者１１の身体の所定位置に巻き付けた液体収容部１４の長手方向の一側と他側を連結して固定することができる。なお、連結手段として面ファスナーを用いる場合の連結手段の構成は、これに限定されるものではなく、液体収容部の長手方向の一側（又は他側）に、帯体の長手方向の一側（又は他側）を直接、固定し、液体収容部の長手方向の他側（又は一側）のみに雌型面ファスナーを取り付け、帯体の長手方向の他側（又は一側）のみに雄型面ファスナーを取り付けてもよい。また、雌型面ファスナーと雄型面ファスナーの配置は、入れ替えてもよい。さらに、連結手段として、雌型面ファスナーと雄型面ファスナーが対になった面ファスナーを用いる代わりに、雌スナップボタンと雄スナップボタンが対になったスナップボタンを用いてもよいし、液体収容部の長手方向の一側にベルトを取り付け、他側にバックルを取り付けて連結する構造としてもよい。
【００２２】
以上、本考案の実施の形態を説明したが、本考案は、上記した形態に限定されるものではなく、要旨を逸脱しない条件の変更等は全て本考案の適用範囲である。
上記実施の形態では、冷却器具を使用者の首に装着した場合について説明したが、これに限定されるものではなく、胴体、腕又は脚等に装着することができる。
なお、本考案に係る冷却器具は、温水を入れて使用することもできる。
【符号の説明】
【００２３】
１０：冷却器具、１１：使用者、１２：首、１４：液体収容部、１５：連結手段、１６：シート材、１７：内面シート（クロロプレンゴム発泡シート）、１８：外面シート（ジャージ生地）、２０：内側面、２１：外側面、２２：切れ目、２３：防水ファスナー、２４：スライダー、２５：テープ、２７：操作紐、２８ａ、２８ｂ：雌型面ファスナー、２９ａ、２９ｂ：雄型面ファスナー、３０：帯体
【図１】
0003227884.tif 000003
【図２】
0003227884.tif 000004
【図３】
0003227884.tif 000005
【図４】
0003227884.tif 000006
【図５】
0003227884.tif 000007